(57)【要約】【課題】本発明の目的は、再現試験時に工場において光伝送通信装置のフィールド環境を正確に再現できないという課題を解決する障害調査方法を提供することにある。【解決手段】本発明に係る障害調査方法は、複数の被管理パッケージ７と、これらを管理する管理パッケージ４と、を備える光伝送通信装置２内の環境を所定時にフィールド環境データＡとして特定の被管理パッケージ７’に保存する保存手順Ｓ１１と、保存手順Ｓ１１後、再現試験装置３２に特定の被管理パッケージ７’を実装し、特定の被管理パッケージ７’からフィールド環境データＡを読み出し、フィールド環境データＡに基づいて特定の被管理パッケージ７’を管理する解析手順Ｓ２２と、を行う。【選択図】図８
2011059893.tif 000002
【特許請求の範囲】
【請求項１】
光伝送通信装置内に配置されており、
前記光伝送通信装置内に配置された管理パッケージからの管理情報に基づいて装置設定及び動作を行い、前記装置設定及び前記動作に関する状態情報を前記管理パッケージに送信する機能実行部と、
所定時の前記光伝送通信装置内の環境であるフィールド環境データを前記管理パッケージから受け取り、保存する再現調査用メモリと、
を有することを特徴とする被管理パッケージ。
【請求項２】
前記フィールド環境データは、他の被管理パッケージの前記状態情報を含むことを特徴とする請求項１に記載の被管理パッケージ。
【請求項３】
前記フィールド環境データは、前記管理情報を含むことを特徴とする請求項１又は２に記載の被管理パッケージ。
【請求項４】
光伝送通信装置内に配置されており、
所定時の前記光伝送通信装置内の環境をフィールド環境データとして保存する運用メモリと、
前記光伝送通信装置内に配置された複数の被管理パッケージのそれぞれに対し、前記被管理パッケージの装置設定及び動作を管理する管理情報を送信し、特定の前記被管理パッケージに対して前記運用メモリが記憶する前記フィールド環境データを送り込む制御部と、
を有することを特徴とする管理パッケージ。
【請求項５】
前記フィールド環境データは、前記被管理パッケージ全てから送られてきた装置設定及び動作に関する状態情報を含むことを特徴とする請求項４に記載の管理パッケージ。
【請求項６】
前記フィールド環境データは、前記管理情報を含むことを特徴とする請求項４又は５に記載の管理パッケージ。
【請求項７】
管理パッケージと複数の被管理パッケージとを備え、
前記被管理パッケージは、
前記管理パッケージからの管理情報に基づいて装置設定及び動作を行い、前記装置設定及び前記動作に関する状態情報を前記管理パッケージに送信する機能実行部と、
前記管理パッケージからのフィールド環境データを保存する再現調査用メモリと、
を有し、
前記管理パッケージは、
フィールド環境データを保存する運用メモリと、
前記光伝送通信装置内に配置された前記被管理パッケージのそれぞれに対し、前記管理情報を送信し、特定の前記被管理パッケージに対して前記運用メモリが記憶する前記フィールド環境データを送り込む制御部と、
を有することを特徴とする光伝送通信装置。
【請求項８】
前記フィールド環境データは、全て被管理パッケージの前記状態情報を含むことを特徴とする請求項７に記載の光伝送通信装置。
【請求項９】
前記フィールド環境データは、前記管理情報を含むことを特徴とする請求項７又は８に記載の光伝送通信装置。
【請求項１０】
請求項７から９のいずれかに記載の光伝送通信装置と、
複数の前記光伝送通信装置の間を接続する光伝送路と、
を備える光通信システム。
【請求項１１】
複数の被管理パッケージと前記被管理パッケージを管理する管理パッケージとを備える光伝送通信装置内の環境を所定時にフィールド環境データとして再現調査用メモリに保存した特定の前記被管理パッケージが実装され、
特定の前記被管理パッケージから前記フィールド環境データを読み出し、前記フィールド環境データに基づいて特定の前記被管理パッケージを管理する試験用管理パッケージを備えることを特徴とする再現試験装置。
【請求項１２】
前記フィールド環境データは、全ての前記被管理パッケージの環境の状態情報を含むことを特徴とする請求項１１に記載の再現試験装置。
【請求項１３】
前記フィールド環境データは、全ての前記被管理パッケージを管理する前記管理パッケージの管理情報を含むことを特徴とする請求項１１又は１２に記載の再現試験装置。
【請求項１４】
複数の被管理パッケージと、前記被管理パッケージを管理する管理パッケージと、を備える光伝送通信装置内の環境を所定時にフィールド環境データとして特定の前記被管理パッケージに保存する保存手順を行うことを特徴とする環境保存方法。
【請求項１５】
前記フィールド環境データは、全ての前記被管理パッケージの環境の状態情報を含むことを特徴とする請求項１４に記載の環境保存方法。
【請求項１６】
前記フィールド環境データは、全ての前記被管理パッケージを管理する前記管理パッケージの管理情報を含むことを特徴とする請求項１４又は１５に記載の環境保存方法。
【請求項１７】
前記保存手順は、
前記所定時に、前記フィールド環境データを前記管理パッケージの運用メモリに蓄積するデータ蓄積過程と、
前記データ蓄積過程後、前記管理パッケージの前記運用メモリに蓄積された前記フィールド環境データを特定の前記被管理パッケージの再現調査用メモリにコピーするコピー過程と、
を有することを特徴とする請求項１４から１６のいずれかに記載の環境保存方法。
【請求項１８】
再現試験装置に、複数の被管理パッケージと前記被管理パッケージを管理する管理パッケージとを備える光伝送通信装置内の環境を所定時にフィールド環境データとして保存した特定の前記被管理パッケージを実装し、
特定の前記被管理パッケージから前記フィールド環境データを読み出し、前記フィールド環境データに基づいて前記所定時の前記光伝送通信装置内の環境を前記再現試験装置に再現させる解析手順
を行う環境再現方法。
【請求項１９】
前記フィールド環境データは、全ての前記被管理パッケージの環境の状態情報を含むことを特徴とする請求項１８に記載の環境再現方法。
【請求項２０】
前記フィールド環境データは、全ての前記被管理パッケージを管理する前記管理パッケージの管理情報を含むことを特徴とする請求項１８又は１９に記載の環境再現方法。
【請求項２１】
前記解析手順は、
特定の前記被管理パッケージの再現調査用メモリから前記フィールド環境データを前記再現試験装置の前記試験用管理パッケージの運用メモリへリストアするリストア過程と、
前記リストア過程後、前記試験用管理パッケージの前記運用メモリへリストアされた前記フィールド環境データを読み出し、前記所定時の前記光伝送通信装置内の環境を再現させる再現過程と、
を有することを特徴とする請求項１８から２０のいずれかに記載の環境再現方法。
【請求項２２】
複数の被管理パッケージと、前記被管理パッケージを管理する管理パッケージと、を備える光伝送通信装置内の環境を所定時にフィールド環境データとして特定の前記被管理パッケージに保存する保存手順と、
前記保存手順後、再現試験装置に特定の前記被管理パッケージを実装し、特定の前記被管理パッケージから前記フィールド環境データを読み出し、前記フィールド環境データに基づいて前記所定時の前記光伝送通信装置内の環境を前記再現試験装置に再現させる解析手順と、
を行う障害調査方法。
【請求項２３】
前記フィールド環境データは、全ての前記被管理パッケージの環境の状態情報を含むことを特徴とする請求項２２に記載の障害調査方法。
【請求項２４】
前記フィールド環境データは、全ての前記被管理パッケージを管理する前記管理パッケージの管理情報を含むことを特徴とする請求項２２又は２３に記載の障害調査方法。
【請求項２５】
前記保存手順は、
前記所定時に、前記フィールド環境データを前記管理パッケージの運用メモリに蓄積するデータ蓄積過程と、
前記データ蓄積過程後、前記管理パッケージの前記運用メモリに蓄積された前記フィールド環境データを特定の前記被管理パッケージの再現調査用メモリにコピーするコピー過程と、
を有することを特徴とする請求項２２から２４のいずれかに記載の障害調査方法。
【請求項２６】
前記解析手順は、
特定の前記被管理パッケージの再現調査用メモリから前記フィールド環境データを前記再現試験装置の前記試験用管理パッケージの運用メモリへリストアするリストア過程と、
前記リストア過程後、前記試験用管理パッケージの前記運用メモリへリストアされた前記フィールド環境データを読み出し、前記所定時の前記光伝送通信装置内の環境を再現させる再現過程と、
を有することを特徴とする請求項２５に記載の障害調査方法。
【請求項２７】
複数の被管理パッケージと、前記被管理パッケージを管理する管理パッケージと、を備える光伝送通信装置内の環境を所定時にフィールド環境データとして特定の前記被管理パッケージに保存させる保存手順を行うことを特徴とする環境保存方法をコンピュータに実現させるための環境保存プログラム。
【請求項２８】
前記フィールド環境データは、全ての前記被管理パッケージの環境の状態情報を含むことを特徴とする請求項２７に記載の環境保存プログラム。
【請求項２９】
前記フィールド環境データは、全ての前記被管理パッケージを管理する前記管理パッケージの管理情報を含むことを特徴とする請求項２７又は２８に記載の環境保存プログラム。
【請求項３０】
前記保存手順は、
前記所定時に、前記フィールド環境データを前記管理パッケージの運用メモリに蓄積するデータ蓄積過程と、
前記データ蓄積過程後、前記管理パッケージの前記運用メモリに蓄積された前記フィールド環境データを特定の前記被管理パッケージの再現調査用メモリにコピーするコピー過程と、
を有することを特徴とする請求項２７から２９のいずれかに記載の環境保存プログラム。
【請求項３１】
再現試験装置に、複数の被管理パッケージと前記被管理パッケージを管理する管理パッケージとを備える光伝送通信装置内の環境を所定時にフィールド環境データとして保存した特定の前記被管理パッケージを実装した後に、
前記試験用管理パッケージに、特定の前記被管理パッケージから前記フィールド環境データを読み出させ、前記フィールド環境データに基づいて前記所定時の前記光伝送通信装置内の環境を前記再現試験装置に再現させる解析手順を行う環境再現方法をコンピュータに実現させるための環境再現プログラム。
【請求項３２】
前記フィールド環境データは、全ての前記被管理パッケージの環境の状態情報を含むことを特徴とする請求項３１に記載の環境再現プログラム。
【請求項３３】
前記フィールド環境データは、全ての前記被管理パッケージを管理する前記管理パッケージの管理情報を含むことを特徴とする請求項３１又は３２に記載の環境再現プログラム。
【請求項３４】
前記解析手順は、
特定の前記被管理パッケージの再現調査用メモリから前記フィールド環境データを前記再現試験装置の前記試験用管理パッケージの運用メモリへリストアするリストア過程と、
前記リストア過程後、前記試験用管理パッケージの前記運用メモリへリストアされた前記フィールド環境データを読み出し、前記所定時の前記光伝送通信装置内の環境を再現させる再現過程と、
を有することを特徴とする請求項３１から３３のいずれかに記載の環境再現プログラム。
【発明の詳細な説明】
【技術分野】
【０００１】
本発明は、光通信システムにおける障害発生時の生涯調査方法に関する。
【背景技術】
【０００２】
光伝送通信装置は、ＩＴＵ−Ｔ  Ｇ．７０７及びＧ．７８３規定による光伝送通信信号をＡＤＤ／ＤＲＯＰし、多重する装置が一般的である。図１は、関連する光通信システムの構成を説明するブロック図である。図１の光通信システムは、光伝送通信装置２と光伝送通信装置３との間を伝送路１５で接続している。
【０００３】
光伝送通信装置２と光伝送通信装置３とは同じものであるので、光伝送通信装置２について説明する。制御端末１は、光伝送通信装置２の管理パッケージ４にある制御部５に対して装置設定情報や制御情報を送り、光伝送通信装置２の装置設定や動作制御を行う。光伝送通信装置２は、管理パッケージ４と複数の被管理パッケージ７を有す。管理パッケージ４は、制御部５と運用メモリ６を有する。制御部５は、制御端末１からの装置設定情報や制御情報の指示に従い、各被管理パッケージ７に対して装置設定や動作制御を行うと同時に、運用メモリ６へ装置設定情報や制御情報を送る。運用メモリ６は制御部５からの装置設定情報や制御情報を保存する。被管理パッケージ７は、伝送路を介して対向となる光伝送通信装置３と光信号を送受信する機能を有す。
【０００４】
図１のような光伝送通信装置２で伝送路障害、パス障害又はパッケージ故障が発生した際には、作業者は障害が発生したと考えられる被管理パッケージ７を光伝送通信装置２から取り出し、工場にて再現試験を実施し障害原因を特定していた。しかし、この障害原因を特定するには、伝送路障害、パス障害又はパッケージ故障が発生した光伝送通信装置２の現場（フィールド）での現象情報（障害発生した状況）をもとに工場にて再現することが必要であるが、情報不足や不正確な情報によりフィールドでの障害が再現せず原因の特定に至らないことがあった。以下、本明細書では、伝送路障害、パス障害又はパッケージ故障を通信障害として説明する。
【０００５】
再現調査に関しては、障害時の環境再現できる画像照合処理システムの一例が特許文献１に記載されている。特許文献１の画像照合処理システムは、照合処理サーバと照合処理装置を備える。照合処理装置は、コマンドトレースエリア及び障害データ格納エリアをそれぞれ複数個有し、切り替えて使用する。障害が発生すると、照合処理装置は、コマンドトレースエリア及び障害データ格納エリアに、障害データ、コマンドトレース情報を退避させる。一方、照合処理サーバの照合装置診断ドライバは、照合処理装置の照合処理サイクルより短いポーリング間隔で、障害データが新たに追加されたか否かを監視し、必要なデータを採取し、照合処理装置において発生した障害のテスト環境を再現可能とする。
【０００６】
また、客先で発生した障害や問題を工場側で確実に再現できるようにする動作再現システムの一例が特許文献２に記載されている。特許文献２の動作再現システムは、監視制御装置と、動作再現装置と、ポインティングデバイスと、操作履歴記憶手段と、操作履歴読出・動作再現手段とを備える。特許文献２の動作再現システムは、監視制御装置が客先側に、動作再現装置が工場側に配置されており、客先側で操作履歴記憶手段に記憶された操作履歴情報を工場側で必要に応じて読み出し、この読み出した操作履歴情報に従って操作履歴読出・動作再現手段が、客先側の監視制御プログラムの動作を再現する。
【先行技術文献】
【特許文献】
【０００７】
【特許文献１】特開２００７−２４１６３０号公報
【特許文献２】特開平０９−１６０７０３号公報
【発明の概要】
【発明が解決しようとする課題】
【０００８】
しかし、特許文献１の画像照合処理システムは、画像照合処理での環境再現を行うものである。また、特許文献２の動作再現システムは、コンピュータの環境再現を行うものである。このため、特許文献１や２の環境再現手段は、図１のような光伝送通信装置２の被管理パッケージ７を工場で再現試験しようとしても、工場において光伝送通信装置２のフィールド環境を正確に再現できないという問題点があった。
【０００９】
そこで、本発明の目的は、再現試験時に工場において光伝送通信装置のフィールド環境を正確に再現できないという課題を解決する障害調査方法を提供することにある。
【課題を解決するための手段】
【００１０】
上記目的を達成するために、本発明に係る被管理パッケージは、光伝送通信装置内に配置されており、前記光伝送通信装置内に配置された管理パッケージからの管理情報に基づいて装置設定及び動作を行い、前記装置設定及び前記動作に関する状態情報を前記管理パッケージに送信する機能実行部と、所定時の前記光伝送通信装置内の環境であるフィールド環境データを前記管理パッケージから受け取り、保存する再現調査用メモリと、を有する。ここで、フィールド環境データとは、装置設定情報、警報情報、切替情報、履歴情報、品質管理情報、制御情報等を含む。また、所定時とは、いずれかの被管理パッケージに通信障害が発生したとき、又は外部に接続された制御端末からの指示があったときである。さらに管理情報とは、装置の動作を制御するために行う装置設定に関する情報である。状態情報とは、被管理パッケージの設定、動作、警報等の現在の状況に関する情報である。
【００１１】
上記目的を達成するために、本発明に係る管理パッケージは、光伝送通信装置内に配置されており、所定時の前記光伝送通信装置内の環境をフィールド環境データとして保存する運用メモリと、前記光伝送通信装置内に配置された複数の被管理パッケージのそれぞれに対し、前記被管理パッケージの装置設定及び動作を管理する管理情報を送信し、特定の前記被管理パッケージに対して前記運用メモリが記憶する前記フィールド環境データを送り込む制御部と、を有する。
【００１２】
上記目的を達成するために、本発明に係る光伝送通信装置は、管理パッケージと複数の被管理パッケージとを備え、前記被管理パッケージは、前記管理パッケージからの管理情報に基づいて装置設定及び動作を行い、前記装置設定及び前記動作に関する状態情報を前記管理パッケージに送信する機能実行部と、前記管理パッケージからのフィールド環境データを保存する再現調査用メモリと、を有し、前記管理パッケージは、フィールド環境データを保存する運用メモリと、前記光伝送通信装置内に配置された前記被管理パッケージのそれぞれに対し、前記管理情報を送信し、特定の前記被管理パッケージに対して前記運用メモリが記憶する前記フィールド環境データを送り込む制御部と、を有する。
【００１３】
上記目的を達成するために、本発明に係る光通信システムは、前記光伝送通信装置と、複数の前記光伝送通信装置の間を接続する光伝送路と、を備える。
【００１４】
上記目的を達成するために、本発明に係る再現試験装置は、複数の被管理パッケージと、前記被管理パッケージを管理する管理パッケージとを備える光伝送通信装置内の環境を所定時にフィールド環境データとして再現調査用メモリに保存した特定の前記被管理パッケージが実装され、特定の前記被管理パッケージから前記フィールド環境データを読み出し、前記フィールド環境データに基づいて特定の前記被管理パッケージを管理する試験用管理パッケージを備える。
【００１５】
上記目的を達成するために、本発明に係る環境保存方法は、複数の被管理パッケージと、前記被管理パッケージを管理する管理パッケージと、を備える光伝送通信装置内の環境を所定時にフィールド環境データとして特定の前記被管理パッケージに保存する。
【００１６】
上記目的を達成するために、本発明に係る環境再現方法は、特定の前記被管理パッケージの再現調査用メモリに保存しているフィールド環境データを再現試験装置の試験用管理パッケージの運用メモリに読み出し、前記フィールド環境データに基づいて特定の前記被管理パッケージによる再現試験（解析手順）を行う。
【００１７】
上記目的を達成するために、本発明に係る障害調査方法は、保存手順と、解析手順とを行う。保存手順は、複数の被管理パッケージと、前記被管理パッケージを管理する管理パッケージと、を備える光伝送通信装置内の環境を所定時にフィールド環境データとして特定の前記被管理パッケージに保存する。解析手順は、前記保存手順後、再現試験装置の試験用管理パッケージに、特定の前記被管理パッケージから前記フィールド環境データを読み出す。さらに、前記フィールド環境データに基づいて障害発生時の前記光伝送通信装置内の環境を前記再現試験装置に再現させる。
【００１８】
上記目的を達成するために、本発明に係る環境保存プログラムは、光伝送通信装置の外部に配置された制御端末で実行される。本環境保存プログラムを実行した制御端末は、複数の被管理パッケージと、前記被管理パッケージを管理する管理パッケージと、を備える光伝送通信装置内の環境を所定時にフィールド環境データとして特定の前記被管理パッケージに保存させる保存手順を行う環境保存方法を光伝送通信装置に実現させる。
【００１９】
上記目的を達成するために、本発明に係る環境再現プログラムは、再現試験装置の外部に配置された制御端末で実行される。本環境再現プログラムを実行した制御端末は、再現試験装置の前記試験用管理パッケージに、特定の前記被管理パッケージから前記フィールド環境データを読み出させ、前記フィールド環境データに基づいて障害発生時の前記光伝送通信装置内の環境を前記再現試験装置に再現させる解析手順を行う環境再現方法を再現試験装置に実現させる。
【発明の効果】
【００２０】
本発明によれば、再現試験時に工場において光伝送通信装置のフィールド環境を正確に再現できないという課題を解決する障害調査方法を提供することができる。
【図面の簡単な説明】
【００２１】
【図１】関連する光通信システムを説明するブロック図である。
【図２】本発明に係る光通信システムを説明するブロック図である。
【図３】本発明に係る再現試験装置を説明するブロック図である。
【図４】本発明に係る被管理パッケージを説明するブロック図である。
【図５】本発明に係る管理パッケージを説明するブロック図である。
【図６】本発明に係る環境保存方法を説明するフローチャートである。
【図７】コピー制御情報を説明する概念図である。
【図８】本発明に係る環境再現方法を説明するフローチャートである。
【図９】リストア制御情報を説明する概念図である。
【発明を実施するための形態】
【００２２】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。また、本明細書でパッケージとは、装置管理部、切替制御部、光送受信部、クロスコネクト部等の機能毎に分かれ、それぞれの機能は一つの基板で実現する。例えば、光送受信部であれば、ＬＤ（レーザダイオード）、ＰＤ（フォトダイオード）などのハードを含んでいる。このように一つの基板である機能を実現したものをパッケージと称し、光伝送通信装置は、各パッケージ（各機能）が集まる（装置の筐体への実装を行う）ことで光伝送通信装置として実現している。さらに、本明細書でフィールド環境とは、光伝送通信装置が設置された現場における装置設定状況や動作制御状況等の光伝送通信装置の環境を示す。
【００２３】
（実施形態１）
図４は、本実施形態の被管理パッケージ７を説明するブロック図である。図４には、被管理パッケージ７と通信を行う管理パッケージ４を破線で示している。被管理パッケージ７は、光伝送通信装置２内に配置されており、機能実行部９と再現調査用メモリ２８とを有する。機能実行部９は、光伝送通信装置２内に配置された管理パッケージ４からの管理情報に基づいて装置設定及び動作を行い、前記装置設定及び前記動作に関する状態情報を前記管理パッケージに送信する。再現調査用メモリ２８は、所定時（例えば通信障害発生時）の光伝送通信装置２内の環境であるフィールド環境データＡを管理パッケージ４から受け取り、保存する。
【００２４】
ここで、管理情報は、例えば、パッケージ登録情報、セクション／パス登録情報、並びにクロスコネクト登録情報等の装置設定を含む。機能実行部９は、管理情報を受信し、装置設定に従い光信号をどのような経路又は帯域で伝送するかを設定する。
【００２５】
また、管理情報は、例えば、ループバック及びレーザーシャットダウン等の保守運用情報や、パッケージ切替情報、伝送路切替情報、並びにパス切替情報等の装置設定を含む。機能実行部９は、管理情報を受信し、この装置設定に従い、被管理パッケージ７を制御し、光伝送通信装置３との間で光信号を送受信する。
【００２６】
被管理パッケージ７は、状態情報を管理パッケージ４に出力する。状態情報を出力するタイミングは、後述する動作に関する情報に変化があったときである。状態情報とは、被管理パッケージ７の現在の装置設定や動作に関する情報を含む。また、動作に関する情報とは、例えば、警報情報、履歴情報、品質管理情報、切替情報である。
【００２７】
警報情報は、例えば、信号消失（ＬＯＳ：Ｌｏｓｓ  Ｏｆ  Ｓｉｇｎａｌ）や管理ユニットアラーム表示信号（ＡＵ−ＡＩＳ：Ａｄｍｉｎｉｓｔｒａｔｉｏｎ  Ｕｎｉｔ  −  Ａｌａｒｍ  Ｉｎｄｉｃａｔｉｏｎ  Ｓｉｇｎａｌ）等の伝送路（セクション）／パス障害情報、及び装置／パッケージ故障情報である。
【００２８】
履歴情報は、例えば、装置設定情報、警報情報、切替情報、及び制御情報を履歴として管理（保存）した情報である。また、装置設定情報、切替情報、及び制御情報のように、障害発生時刻だけでなく、装置に対して設定／制御（切替も含む）を行った時刻も履歴として残す。
【００２９】
品質管理情報は、例えば、伝送路の品質を管理するための情報であり、パフォーマンスモニターと呼ばれることもある。パフォーマンスモニターは、例えば、送られてきた信号にビット誤りを検出した場合、その個数のカウントや、ビット誤りが継続した時間（秒単位）のカウントで、その伝送路の品質に良悪の判定を行う。
【００３０】
切替情報は、例えば、パッケージ切替情報、ライン（伝送路）切替情報、及びパス切替情報である。
【００３１】
再現調査用メモリ２８は、所定時に管理パッケージ４から送られてくるフィールド環境データＡを保存する。フィールド環境データＡは、光伝送通信装置２内の環境を再現可能とするためのデータである。
【００３２】
図５は、本実施形態の管理パッケージ４を説明するブロック図である。図５には、管理パッケージ４と通信を行う被管理パッケージ７を破線で示している。管理パッケージ４は、光伝送通信装置２内に配置されており、運用メモリ６と制御部５とを有する。運用メモリ６は、所定時の光伝送通信装置２内の環境をフィールド環境データＡとして保存する。制御部５は、光伝送通信装置２内に配置された複数の被管理パッケージ７のそれぞれに対し、被管理パッケージ７の装置設定及び動作を管理する管理情報を送信する。さらに制御部５は、特定の被管理パッケージ７’に対して運用メモリ６が記憶するフィールド環境データＡを送り込む。
【００３３】
管理パッケージ４は、所定時に複数の被管理パッケージ７が出力する状態情報を収集する。
【００３４】
制御部５は、各被管理パッケージ７へ管理情報を送信する。管理情報を送信するタイミングは、いずれかの被管理パッケージ７に通信障害が発生したとき、又は外部に接続された制御端末１からの指示があったとき、である。また、制御部５は、管理情報を運用メモリ６へ送信する。さらに、制御部５は、各被管理パッケージ７から収集した状態情報も運用メモリ６へ送信する。
【００３５】
運用メモリ６は、各被管理パッケージ７の状態情報及び制御部５からの管理情報を所定時における光伝送通信装置内の環境を再現するためのフィールド環境データＡとして保存する。すなわち、フィールド環境データＡは、他の被管理パッケージの前記状態情報を含む。さらに、フィールド環境データは、管理情報も含む。
【００３６】
図２は、光通信システムを説明するブロック図である。図２の光通信システムは、光伝送通信装置（２、３）と、光伝送通信装置（２、３）の間を接続する光伝送路１５と、を備える。図２の光通信システムは、通常時、図１の光通信システムでの説明と同様に光信号を伝送する。
【００３７】
通信障害発生時等の所定時における、図２の光通信システムの動作について光伝送通信装置２の動作で説明する。光伝送通信装置２は、図４の各被管理パッケージ７と図５の管理パッケージ４を備える。すなわち、被管理パッケージ７は、機能実行部９と再現調査用メモリ２８とを有する。機能実行部９は、管理パッケージ４からの管理情報に基づいて装置設定及び動作を行い、前記装置設定及び前記動作に関する状態情報を管理パッケージ４に送信する。再現調査用メモリ２８は、管理パッケージ４からのフィールド環境データＡを保存する。管理パッケージ４は、運用メモリ６と制御部５とを有する。運用メモリ６は、フィールド環境データＡを保存する。制御部５は、光伝送通信装置２内に配置された複数の被管理パッケージ７のそれぞれに対し、管理情報を送信し、特定の被管理パッケージ７’に対して運用メモリ６が記憶するフィールド環境データＡを送り込む。
【００３８】
光伝送通信装置２は、装置内の環境を所定時にフィールド環境データＡとして特定の被管理パッケージ７’に保存する保存手順を有する環境保存方法を行う。図６は、具体的な保存手順を説明するフローチャートである。保存手順Ｓ１１は、データ蓄積過程Ｓ０１とコピー過程Ｓ０２とを有する。データ蓄積過程Ｓ０１は、所定時（例えば通信障害発生時）に、フィールド環境データＡを管理パッケージ４の運用メモリ６に蓄積する。コピー過程Ｓ０２は、管理パッケージ４の運用メモリ６に蓄積されたフィールド環境データＡを特定の被管理パッケージ７’の再現調査用メモリ２８にコピーする。
【００３９】
例えば、制御端末１は、コピー制御情報Ｍ１を制御部５に送る。図７は、コピー制御情報Ｍ１を説明する概念図である。コピー制御情報Ｍ１は実効情報が格納される部分と被管理パッケージ情報が格納される部分とからなる。コピー制御情報Ｍ１の実行情報にはコピー命令が書き込まれている。被管理パッケージ情報にはフィールド情報データのコピー先の被管理パッケージを識別する情報が書き込まれている。
【００４０】
制御部５は、制御端末１からコピー制御情報Ｍ１を受信すると運用メモリ６に保存されているフィールド環境データＡを読み出し、読み出したフィールド環境データＡを再現調査用メモリ２８へ保存する。
【００４１】
例えば、作業者は、前述の保存手順Ｓ１１を行う環境保存プログラムを制御端末１から実行することで、光伝送通信装置２に環境保存方法を行わせることができる。この環境保存プログラムは、保存手順Ｓ１１のデータ蓄積過程Ｓ０１とコピー過程Ｓ０２とを次のように光伝送通信装置２に実行させる。データ蓄積過程Ｓ０１では、所定時に、フィールド環境データＡを管理パッケージ４の運用メモリ６に蓄積する。コピー過程Ｓ０２では、管理パッケージ４の運用メモリ６に蓄積されたフィールド環境データＡを特定の被管理パッケージ７’の再現調査用メモリ２８にコピーする。
【００４２】
（実施形態２）
図３は、本実施形態の再現試験装置３２を説明するブロック図である。図３には、管理パッケージ４と通信を行う特定の被管理パッケージ７’を破線で示している。再現試験装置３２は、図４で説明した特定の被管理パッケージ７’が実装され、特定の被管理パッケージ７’からフィールド環境データＡを管理パッケージ４に読み出し、フィールド環境データＡに基づいて障害発生時の光伝送通信装置２内の環境を自身に再現する。
【００４３】
特定の被管理パッケージ７’は、図２で説明した光伝送通信装置２内の環境を所定時にフィールド環境データＡとして再現調査用メモリ２８に保存している。例えば、特定の被管理パッケージ７’は、作業者が現場の光伝送通信装置２から取り外してきたものである。作業者は、特定の被管理パッケージ７’を再現試験装置３２に実装する。
【００４４】
図８は、本実施形態の環境再現方法を説明するフローチャートである。具体的には、作業者は、まず、再現試験装置３２に被管理パッケージ７’を実装する。続いて、作業者は、管理パッケージ４に特定の被管理パッケージ７’からフィールド環境データＡを読み出させ、フィールド環境データＡに基づいて障害発生時の光伝送通信装置２内の環境を再現試験装置３２に再現させる解析手順Ｓ２２と、を含む環境再現方法を行う。
【００４５】
解析手順Ｓ２２は、リストア過程Ｓ３１と再現過程Ｓ３２とを有する。リストア過程Ｓ３１では、特定の被管理パッケージ７’の再現調査用メモリ２８からフィールド環境データＡを再現試験装置３２の管理パッケージ４の運用メモリ６へリストアする。再現過程Ｓ３２では、管理パッケージ４の運用メモリ６へリストアされたフィールド環境データＡを読み出し、障害発生時の光伝送通信装置２内の環境を再現試験装置３２に再現させる。
【００４６】
例えば、制御端末１は、リストア制御情報Ｍ２を制御部５に送る。図９は、リストア制御情報Ｍ２を説明する概念図である。リストア制御情報Ｍ２は実効情報が格納される部分と被管理パッケージ情報が格納される部分とからなる。リストア制御情報Ｍ２の実行情報にはリストア命令が書き込まれている。被管理パッケージ情報にはフィールド情報データのリストアもとの被管理パッケージを識別する情報が書き込まれている。
【００４７】
制御部５は、制御端末１からリストア制御情報Ｍ２を受信すると再現調査用メモリ２８に保存されているフィールド環境データＡを読み出し、読み出したフィールド環境データＡを運用メモリ６へ保存する。
【００４８】
管理パッケージ４の制御部５は、運用メモリ６にリストアされたフィールド環境データＡを用いて、特定の被管理パッケージ７’の装置設定を行う。このため、工場に設置された再現試験装置３２は、現場（フィールド）で発生した通信障害を再現することができる。
【００４９】
再現試験装置３２は、光伝送通信装置２内の環境を所定時にフィールド環境データＡとして保存した特定の被管理パッケージ７’が実装される。再現試験装置３２の管理パッケージ４は、特定の被管理パッケージ７’からフィールド環境データＡを読み出し、フィールド環境データＡに基づいて障害発生時の光伝送通信装置２内の環境を再現試験装置３２に再現させる。例えば、制御端末１は、前述の解析手順Ｓ２２を行う環境再現プログラムを制御端末から実行することで、障害発生時の光伝送通信装置２内の環境を再現試験装置３２に再現させることができる。この環境再現プログラムは、解析手順Ｓ２２のリストア過程Ｓ３１及び再現過程Ｓ３２を次のように再現試験装置３２に実行させる。リストア過程Ｓ３１では、特定の被管理パッケージ７’の再現調査用メモリ２８からフィールド環境データＡを再現試験装置３２の管理パッケージ４の運用メモリ６へリストアする。再現過程Ｓ３２では、管理パッケージ４の運用メモリ６へリストアされたフィールド環境データＡを読み出し、障害発生時の光伝送通信装置２内の環境を再現試験装置３２に再現させる。
【００５０】
（障害調査方法）
図６及び図８を利用して、本実施形態の障害調査方法を説明する。本実施形態の障害調査方法は、保存手順Ｓ１１と解析手順Ｓ２２とを行う。保存手順Ｓ１１では、複数の被管理パッケージ７と、これらを管理する管理パッケージ４と、を備える光伝送通信装置２内の環境を所定時にフィールド環境データＡとして特定の被管理パッケージ７’に保存する。解析手順Ｓ２２では、再現試験装置３２に特定の被管理パッケージ７’を実装し、特定の被管理パッケージ７’からフィールド環境データＡを管理パッケージ４に読み出し、フィールド環境データＡに基づいて障害発生時の光伝送通信装置２内の環境を再現試験装置３２に再現させる。
【００５１】
保存手順Ｓ１１は、図６の説明のようにデータ蓄積過程Ｓ０１とコピー過程Ｓ０２を有する。データ蓄積過程Ｓ０１とコピー過程Ｓ０２は、それぞれ図６の説明と同様である。解析手順Ｓ２２は、図８の説明のようにリストア過程Ｓ３１と再現過程Ｓ３２を有する。リストア過程Ｓ３１と再現過程Ｓ３２は、それぞれ図８の説明と同様である。以下に、本実施形態の障害調査方法について、より具体的に説明する。
【００５２】
通信障害が発生した際、光伝送通信装置２は、各被管理パッケージ７から状態情報を収集し、管理パッケージ４が送信した管理情報を運用メモリ６に保管する（データ蓄積過程Ｓ０１）。このとき、作業者は被管理パッケージ７から出力される警報情報からどの被管理パッケージ（特定の被管理パッケージ７’）で発生した障害か推測できる。そして、作業者は制御端末１を使い、通信障害が発生したときの光伝送通信装置２内の環境が保存されている運用メモリ６からフィールド環境データＡを特定の被管理パッケージ７’の再現調査用メモリ２８へコピーする（コピー過程Ｓ０２）。その後、作業者は、光伝送通信装置２から特定の被管理パッケージ７’を取り外して工場へ持ち込む。作業者は、工場内にある再現試験装置３２に特定の被管理パッケージ７’を実装する。作業者は、制御端末１を使い、特定の被管理パッケージ７’の再現調査用メモリ２８に保管されているフィールド環境データＡを管理パッケージ４の運用メモリ６にリストアする（リストア過程Ｓ３１）。管理パッケージ４の制御部５は、運用メモリ６内のフィールド環境データＡに従い、特定の被管理パッケージ７’に管理情報を送り、装置設定を行う（再現過程Ｓ３２）。このとき、管理情報は光伝送通信装置２で通信障害を生じたときの情報であり、特定の被管理パッケージ７’は通信障害を生じたパッケージであるから、再現試験装置３２は、通信障害が発生したときの光伝送通信装置２のフィールド環境を再現することができる。
【００５３】
通信障害が発生した場合、光伝送通信装置２内の環境のデータだけを工場に持っていくのではなく、通信障害を生じた被管理パッケージごと工場に持っていき、再現試験を行う本障害調査方法を実施することで、作業者は、通信障害の原因がハード故障又はファームウェアのバグであるのか切り分けが可能になる。
【符号の説明】
【００５４】
１：制御端末
２、３：光伝送通信装置
４：管理パッケージ
５：制御部
６：運用メモリ
７、７’：被管理パッケージ
２８：再現調査用メモリ
９：機能実効部
１５：光伝送路
３２：再現試験装置
【図１】
2011059893.tif 000003
【図２】
2011059893.tif 000004
【図３】
2011059893.tif 000005
【図４】
2011059893.tif 000006
【図５】
2011059893.tif 000007
【図６】
2011059893.tif 000008
【図７】
2011059893.tif 000009
【図８】
2011059893.tif 000010
【図９】
2011059893.tif 000011